(57)【要約】      （修正有）【課題】コンパクトで魅力的な形状のマイクロフォン、電源、通信回路を含む使用中使用者に固定的に追加され、通信用にも機能する無線式「スマート」装飾的無線通信システムを提供する。【解決手段】筐体６０Ａは、確実な宝石ポストまたは使用中使用に対して提案された発明を確実に固定・取り外し可能にする固定機構で含んでいる。選択性のある装飾的アプリケーションまたは容器は、電子構造物を隠し、信頼できる無線通信を使用者に固定的に追加するために用いられる。【選択図】図２
0003217693.tif 000002
【実用新案登録請求の範囲】
【請求項１】
装飾的通信転送モジュールからなり、
前記装飾的通信転送モジュールは、さらに
有界通信経路によって下部中空容器から相隔たる上部中空容器と、
前記通信経路に沿って第一中空容器と第二中空容器に対して伸びている装飾的カバーと、
使用中、外部使用者に無線通信モジュールシステムを解除可能に固定するために動作可能な中心経路に隣接する固定システムと、
下部中空容器内の電子回路モジュールと、
前記上部中空容器内のスピーカー回路モジュールと、
前記電子回路モジュールと前記スピーカーモジュールとの間の前記通信回路に沿って伸びている電子接続ワイヤーと、
前記電子回路モジュール上の活性化回路から構成され、
それによって前記使用中、前記活性化回路の活性化が動作可能にする、前記電子回路モジュールを備えた前記スピーカー回路モジュールを接続してなる装飾的無線通信システム。
【請求項２】
有界通信経路によって下部中空容器から相隔たる上部中空容器を支持する細長い筐体と、
上部と下部中空容器を覆う細長い筐体上の装飾的カバー表面からさらに構成されている請求項１記載の装飾的無線通信システム。
【請求項３】
前記装飾的カバーが、そこから突出する複数の突出固定部材を含み、前記細長い筐体が、前記突出固定部材の前記一つと各々に通信するために整形された複数の嵌合部材をさらに含み、上部中空容器内のスピーカー回路と下部中空容器内の電子回路モジュールとを固定するように、前記一つの装飾的通信転送モジュールの組立中、前記装飾的カバーが確実に前記細長い筐体に嵌合可能であって、それによって前記スピーカー回路モジュールを前記上部中空容器内に、前記電子回路モジュールを前記下部中空容器内に固定するように構成されている請求項２に記載の装飾的無線通信システム。
【請求項４】
前記電子回路モジュールが、さらに、
充電可能電源と、データ及び充電ポートと、
マイクロフォン回路と、無線送信機回路と、
前記活性化回路からなり、
前記活性化回路が、ボタン回路、加速度計回路及びスワイプ接触回路からなる群から選ばれた活性化トリガーから構成されている請求項３に記載の装飾的無線通信システム。
【請求項５】
前記装飾的カバー表面の反対側の前記下部中空容器の一つの表面上、有界のボタン開口部と、
バネ稼働式に前記下部中空容器に固定され、前記ボタン開口部内に突出する暴露面を有するボタンカバー部材とからなり、
前記ボタンカバー部材が、さらに弓形のバネアームと前記下部中空容器に結合する固定部分から構成され、それによって前記使用中、前記ボタン開口部に隣接する前記ボタンカバーの付勢位置を有効にする請求項３に記載の装飾的無線通信システム。
【請求項６】
前記固定システムは、前記装飾的カバー表面から遠ざかるように細長い筐体から伸びている、請求項１に記載の装飾的無線通信システム。
【請求項７】
固定システムは、さらに上部中空容器と下部中空容器との間の複数の位置に突出している細長いピンを調整可能に再配置するように機能する調整システムから構成されている、請求項６に記載の装飾的無線通信システム。
【請求項８】
前記固定システムが、前記装飾的カバー表面から、そして前記上部中空容器と前記下部中空容器との間の前記細長い筐体上の前記通信経路を介して伸びている、請求項１に記載の装飾的無線通信システム。
【請求項９】
前記細長い筐体は、さらに前記下部中空容器から伸び、前記使用中前記電子回路を支持するように位置決めされた複数の支持ポストから構成されている、請求項３に記載の装飾的無線通信システム。
【請求項１０】
前記装飾的カバーが、前記有界通信経路によって前記下部中空容器から相隔たる前記上部中空容器と、前記装飾的カバーから伸びている前記下部中空容器と
前記装飾的カバー上の細長い筐体と、
前記上部中空容器と前記下部と前記有界通信経路をカバーすることを支持する、請求項１に記載の装飾的無線通信システム。
【請求項１１】
前記細長い筐体が、そこから突出する複数の突出固定部材を含み、前記装飾的カバーが、さらに前記突出固定部材の前記一つと各々に通信するために整形された複数の嵌合部材をさらに含み、それによって前記上部中空容器内の前記スピーカー回路と前記下部中空容器内の前記電子回路モジュールを固定するように、前記一つの装飾的通信転送モジュールの組立中、前記装飾的カバーが確実に前記細長い筐体に嵌合可能であるように構成されている請求項１０に記載の装飾的無線通信システム。
【請求項１２】
装飾的カバー表面の反対側の前記細長い筐体部材の一つの表面上に、有界のボタン開口部と、
バネ稼働式に、前記下部中空容器に隣接する前記細長い筐体部材に固定され、前記ボタン開口部内に突出する暴露面を有するボタンカバー部材とからなり、
前記ボタンカバー部材が、さらに弓形のバネアームと前記細長い筐体に結合する固定部分から構成され、それによって前記使用中、前記ボタン開口部に隣接する前記ボタンカバーの付勢位置を有効にする請求項１０に記載の装飾的無線通信システム。
【請求項１３】
前記固定システムは、前記装飾的カバー表面から遠ざかるように細長い筐体から伸びている、請求項１２に記載の装飾的無線通信システム。
【請求項１４】
前記固定システムは、さらに、前記上部中空容器と前記下部中空容器との間の相隔たる複数の位置に突出している細長いピンを調整可能に再配置するように動作可能な調整システムから構成されている、請求項１３に記載の装飾的無線通信システム。
【請求項１５】
前記固定システムは、装飾的カバー表面から、そして前記上部中空容器と前記下部中空容器との間の前記通信経路を介して伸びている、請求項１２に記載の装飾的無線通信システム。
【請求項１６】
前記電子回路モジュールが、さらに、
充電可能電源と、
データ及び充電ポートと、
マイクロフォン回路と、無線送信機回路と、
前記活性化回路からなり、
前記活性化回路が、ボタン回路、加速度計回路及びスワイプ接触回路からなる群から選ばれた活性化トリガーを含むように構成されている、請求項１２に記載の装飾的無線通信システム。
【請求項１７】
細長い筐体部材の反対側の装飾的カバー表面の一つの表面上に有界のボタン開口部と、
バネ稼働式に、前記下部中空容器に隣接する前記装飾的カバー表面に固定され、前記ボタン開口部内に突出する暴露面を有するボタンカバー部材とからなり、
前記ボタンカバー部材が、さらに弓形のバネアームと前記装飾的カバー表面に結合する固定部分から構成され、それによって前記使用中、前記ボタン開口部に隣接する前記ボタンカバーの付勢位置を有効にする請求項１１に記載の装飾的無線通信システム。
【請求項１８】
前記固定システムは、前記装飾的カバー表面から遠ざかるように細長い筐体から伸びている、請求項１７に記載の装飾的無線通信システム。
【請求項１９】
前記上部中空容器と前記下部中空容器は、共通面に沿って互いに整列し、そして共通面に沿って互いに整列していないかの少なくても一つである、請求項１に記載の装飾的無線通信システム。
【請求項２０】
前記細長い筐体と前記装飾的カバー表面の少なくても一つが曲線形で伸びている、請求項１に記載の装飾的無線通信システム。
【請求項２１】
さらに、遠隔通信ネットワークと接続するように動作可能な無線通信デバイスから構成されている、請求項１に記載の装飾的無線通信システム。
【請求項２２】
前記固定システムが、弓形ループバネ部材と保持フック部材を含み、前記保持フック部材が前記装飾的通信転送モジュールを固定的に嵌合するように動作可能であり、それによって前記使用中前記弓形ループバネが、バネ稼働的に信頼できる固定的に前記使用を確実にする、請求項１に記載の装飾的無線通信システム。
【請求項２３】
装飾的通信転送モジュールを動作可能に取り囲むために形成された容器ケースから構成されている、請求項１に記載の装飾的無線通信システム。
【請求項２４】
前記上部中空容器は、可撓的に前記下部中空容器に接続され、それによって、前記上部中空容器と前記下部中空容器との間で相対的ピボット運動が可能となる、請求項１に記載の装飾的無線通信システム。
【請求項２５】
前記装飾的カバー表面が、前記装飾的通信転送モジュールから取り外し、交換可能であり、それによって、使用者が、複数の装飾的表面カバーから選択的に交換できる、請求項１に記載の装飾的無線通信システム。
【考案の詳細な説明】
【技術分野】
【０００１】
〔参照による取り込み〕
本出願は、ならびに２０１５年９月１９日に出願された米国暫定特許番号６２／２２０，９７９並びに２０１６年３月８日に出願された米国暫定特許シリーズ番号６２／３０５，０２９に関し、優先権を主張し、全体は参照によって本出願に完全に取り込まれている。
【０００２】
本発明は装飾的通信システムに関する。特に、本発明は、携帯（ハンドヘルド）デバイスと、携帯デバイスが無く、そして装飾的選択肢を有する操作可能なスピーカー、活性化成分、マイクロフォンを含むウェアラブルな装飾的通信システムに関する。
【背景技術】
【０００３】
携帯電話やイヤーバッド（イヤホン）やヘッドフォーンのような従来の通信デバイスは、送受信通話を行い、レクレーションあるいはウエルネス・健康志向サービスを扱い、そして関連するトラッキングを改善するのを助けている。従来の通信デバイスは、携帯トランシーバー、Ｗｉ−Ｆｉと同様な、既知のプロトコルやブルートゥース（ＢＬＵＥＴＯＯＴＨ（登録商標））のような回路で機能するＮＦＣ（近距離無線通信）トランシーバーを含んでいる。残念なことに、そのような従来のデバイスは、直接使用者とその周りに影響を与える大きな音、光、振動などによって使用中、役立たない態様で邪魔をし得る。このような従来の通信デバイスの各々は、美的感覚に乏しく、視覚的に使用者の邪魔をしている。
【０００４】
既存品は、ワイアレスヘッドセットイアリングと同様に有線のものがデザインされている。これらの従来技術の大半のヘッドセットイアリングは、本発明のデバイスが解消する一つ以上の欠点を有している。
【０００５】
米国特許第９、０８４、０５４号、「ワイアレス音響デバイスを有する耳宝飾品」は、第一末端のワイアレス通信デバイスから反対末端の音響発生デバイスに、耳のピアス穴を通過するシグナル経路を有し、音響デバイスが着用者の耳のピアス穴を介して伸びているヘッドセット装置を提供している。ピアス穴からを通って伸びるイアリング（ポスト）の一部は、らせん状に包まれた伝導体を収納することを目的とした脆弱な中空シリンダーである。大部分のイアリングポストは非常に細いゲージワイアーで作られているので、チューブは多くの装着者にとって非常に不快である。また、外耳道の方に伸びるスピーカーは、邪魔なものに見え、使用中に見る人の直接的な注意を引き、「消失」してしまうことはない。結局、このデバイスのデザインでは、快適さ、装着の柔軟性や美的に強いアピールを齎すことはない。
【０００６】
米国特許第７，５３６，１５０号、「ワイアレスイアリング組立品」において、ライアンは、イアリングのように耳たぶに付けるユニットを有するワイアレスヘッドセットを記載している。アイデアは、電子部品の重さで耳に負担をかけることを避けるものである。しかしながら、このデバイスは、「見た目消失」試験に失敗し、電気通信製品のように見える。明確に技術的なものに見える。
【０００７】
米国デザイン特許第１７６、５１２号は、アントニーへゲドーンによるもので、「イアリングと補聴器筐体の複合体」であって、補聴器用の容器に見え、耳たぶからイヤリングが吊り下げられているようである。（補聴器のみとしての）技術的な制限がある。
【０００８】
米国特許第４，８０３、８５３号、ライナーホーキンスによる「装飾的耳内挿入物と補聴器」は、単に補聴器を装飾的にカバーしているに過ぎない。
【０００９】
米国特許第８、６７６、２７４号、「ワイアレス通信デバイスに関する報知デバイス、システム及び方法」で発明者は、無線報知警報システムを記載している。システムは、重大な情報の提供、あるいはより多くの機能を供給することなく使用者に単に警告するだけのものである。使用者は、操作中イアリング回路を通して話すことができない。音声に基づく使用者インターフェースを用いるための対策がなされていない。
【００１０】
また、従来技術の煩わしい点は、既存の全てのヘッドフォーンが、３つのタイプに相当する、すなわち、（Ｉ）耳を覆うタイプ（外耳を包む大きなカップ）、（ＩＩ）耳の上に置くタイプ（耳の上に置く小さな構造物、及び（ＩＩＩ）直接耳に挿入するタイプ（外耳道に挿入する「イアバッド」のようなもの）であって、各々の従来システムは、使用、外見、便利さについての不利益さを有している。
【００１１】
従来型のヘッドフォーンは、（Ｉ）社会的場でヘッドセットを装着するのは不作法であり、（ＩＩ）既存のヘッドセットは、簡単に外れたり、移動したりして、（ＩＩＩ）既存のヘッドセットは、長時間装着するには不快なものである、といったことを含む多くの欠点がある。
【００１２】
従って、少なくても一つのここで注目する問題を解決するシステム、装置、キットを改良する必要性がある。
【考案の概要】
【００１３】
本発明は、コンパクトで魅力的な形状のマイクロフォン、電源、通信回路を含む使用中使用者に固定的に追加装着され、通信用にも完全に機能する無線「スマート」イアリングのためのシステム、装置、無線キットを提供する。筐体は、確実な宝石ポストまたは使用中使用に対して提案された発明を確実に固定・取り外し可能にする他の機構を含んでいる。選択肢として、装飾的アプリケーションまたは容器は、電子構造物を隠し、信頼できる無線通信を使用者に固定的に追加装着するために用いられる。
【００１４】
本発明の別の態様は、外耳道の上に浮かせ、確実に視覚的に魅力的な形態で使用者の体に固定されるように、通常のコード付き電話若しくは通常の携帯またはコードレス電話若しくは携帯のスピーカーを手に持っている使用者に近いところにシステムおよび構造を提供すると理解される。
【００１５】
本発明は、少なくても２つの主要素、ヘッドセットとして機能するデバイスを操作可能にする電子成分及び宝飾品として同様に機能するデバイスを作る装飾的要素を有する電子「スマート」通信イアリングを提供する。電子要素は、ボタン、スワイプ機能、加速度計、偏心モーター、他の振動生成回路のような物理的な相互作用の手段のための供給品と同様に、マイクロフォン、スピーカー、（ブルートゥースのような）無線通信回路、電源回路、蓄電池と（充電器接続若しくは誘導回路のような）充電回路を含む、ハンドセットに必要な全ての電子部品を含み得る。これらのモジュールは、これらのユニットが製造可能で、合理的な保証をもって試験できるように、完全に取り囲まれて、密封されるように設計されても良い。
【００１６】
装飾的要素は、半田付け、ねじ式ファスナー、留め金式クロージャ、あるいは他の最終顧客が装飾的要素を交換できるようになっていて、さらにここに記載する特長と要素を用いて使用者がデバイスを安定させることが可能な構造物として任意の適当な手段によって容易に、固定的に装着可能である。
【００１７】
本発明のもう一つの態様は、モジュールが本質的に外観視から隠されていることである。モジュールは、大概の場合、装着者を見ている人にはモジュールが見えないように、前もってつけてあるイアリングの後ろ側、あるいはイアリングの外見と一体的に形成されて、装着される。結果、本発明の別の態様、一つの態様において、モジュール自体の外側は、金属、高品質プラスチックあるいは樹脂外套、あるいは他の装飾によって非常に装飾的である。この選択肢では、モジュールが比較的に少い修正でスマート宝飾品となり、モジュールは、また装飾要素として機能し得る。
【００１８】
モジュールは、少数の追加接続を備えて内蔵式で提供される。利用できる可能な主たる結合が、（Ｉ）無線通信ポートの他に別の通信チャンネルを認める、安全な通信、またはより高い回線容量の通信用の）マイクロＵＳＢポートのような有線通信ポートおよび回路、（ＩＩ）（内蔵バッテリーを再充電するためので、充電ポートは通信ポートと複合されてもよい）ピン充電器または誘導充電回路のような充電ポートあるいは回路、（ＩＩＩ）（モジュール中に誘導コイルを作ることが可能な一方、誘導コイルは、利用できる表面積を増やし、それ故、選択肢として修飾的要素と一体化される大量の外部コイルの使用を改善でき、そして外部コイルを支持するように設計されたモジュールが、コイルが接続される標準的コネクターを有するような）誘導コイル用の任意のコネクター、（ＩＶ）（ブルートゥース回路、または拡大領域用若しくは低周波通信用で、アンテナが接続される標準的コネクターと共に提供される別になった外部アンテナを用いることが望ましい場合）無線データ並びに音響通信用の内蔵または外部アンテナ、（Ｖ）（イアリングの正面に宝石のような）装飾的要素として隠せ得る物理的相互作用回路またはボタン若しくはロッカースイッチ、そして直接操作、あるいは（引いたり、絞ったりできるドロップ（宝石）要素のような）分離要素を含み、そのためにモジュールの中に作る代わりに、物理的相互作用手段（ボタン、タッピング、スワイプ、点頭動作）によって信号が生成されるコネクターが電子品と通信し、そして加速度計のような適当なセンサーの使用が該当する入力制御を可能にする。
【００１９】
本発明の別の態様では、ヘッドセットとして機能し、さらに歩数計、皮膚温度センサー、皮膚血液酸素センサーのような任意の健康関連センサーのような警告・通知デバイスとして働く、ウエアラブル（着用可能な）デバイス宝飾品が提供される。また、音声制御ユーザーインタフェースと、同様にタッチ、ジェスチャーでも可能である。
【００２０】
本発明のさらに別の態様は、ウェアラブル宝飾品は、通信と、スマートフォンのような無線通信デバイスを制御する回路を含む、イアリング、一対のイアリング、ペンダント、ラバリエール（小型）スタイルのペンダント、耳フックである。また、提案された発明は、（例えば、スマートフォンと互いに通信する自身の個人領域ネットワークを創造するように）個別にまたは集合的に使用できる。タッチ、音声、ジェスチャーのいずれもが通信デバイスの制御に使用できる。使用者は、物理的にスマートフォンにアクセスするウェアラブルデバイスを介して、スマートフォンについての全てである電話をかけたり、音楽を演奏したり、ノートをかき取らせたりすることができる。同様に、受信した電話、テキストメッセージ、残り少ないバッテリの通知、信号が無い、電話などに対応する警告がスマートフォンからウェアラブルデバイスに送られ得る。イアリングの場合には、通知は使用者の耳に囁くようにもできる。別にあるいは追加して、信号は、物理的または視覚的刺激、振動やフラッシュライトのような形式でも良い。そして、使用者は、丁重に、そして任意に行動したり、警告を無視することを選択できる。ウェアラブルデバイスは、また、日程の注意喚起又は通知などをフェイスブック、ツイッター、Ｅメールなどのアプリケーションのホストから他に注意喚起と警告を送るために使用することができる。このデバイスのウェアラブル宝飾品は、アイフォンのシリ（Ｓｉｒｉ（登録商標））やウィンドウズのコルタナ（Ｃｏｒｔａｎａ（登録商標））のようなインテリジェント個人アシスタントに関連して、ウェラブルデバイスに音声コマンドを介して無線通信デバイスを身につけている人が操作できる。
【００２１】
本発明の一つの別の実施例に従って、装飾的無線通信システムは、装飾的通信転送モジュールからなり、該当する装飾的通信転送モジュールが、さらに有界通信経路によって下部中空容器から相隔たる上部中空容器と、通信経路に沿って第一中空容器と第二中空容器とに伸びている装飾的カバーと、使用中、外部使用者に無線通信モジュールシステムを解除可能に固定するために機能する中心経路に隣接する固定システムと、下部中空容器内の電子回路モジュールと、上部中空容器内のスピーカー回路と、電子回路モジュールとスピーカーモジュールとの間の通信回路に沿って伸びている結合電線と、電子回路モジュール上の活性化回路からなり、使用中、活性化回路の活性化がスピーカー回路モジュールと電子回路モジュールを機能的に接続するように構成されている。
【００２２】
本発明の一つの別の実施例に従って、装飾的通信システムは、さらに、有界通信経路によって下部中空容器から相隔たる上部中空容器を支持する細長い筐体と、上部と下部中空容器を覆う細長い筐体上の装飾的カバー表面から構成されている。
【００２３】
本発明の一つの別の実施例に従った、装飾的無線通信システムであって、装飾的カバーが、そこから突出する複数の突出固定部材を含み、細長い筐体が、さらに突出固定部材の各々と通信するために整形された複数の嵌合部材を含み、上部中空容器内のスピーカー回路と下部中空容器内の電子回路モジュールを固定するように、装飾的通信転送モジュールの組立中、装飾的カバーが確実に細長い筐体に嵌合可能になるように構成されている。
【００２４】
本発明の一つの別の実施例に従った、装飾的無線通信システムであって、電子回路モジュールは、さらに、充電電源と、データ及び充電ポートと、マイクロフォン回路と、無線送信機回路と、活性化回路からなり、活性化回路が、ボタン回路、加速度計回路及びスワイプ接触回路からなる群から選ばれた活性化トリガーから構成されている。
【００２５】
本発明の一つの別の実施例に従って、装飾的通信システムは、さらに、装飾的カバー表面の反対側の下部中空容器の表面上、有界のボタン開口部と、バネ式に下部中空容器に固定され、ボタン開口部内に突出する暴露面を有するボタンカバー部材とからなり、下部カバー部材が、弓形のバネアームと中空容器に結合する固定部分からなり、それによって使用中、ボタン開口部に隣接するボタンカバーの付勢位置を有効にするように構成されている。
【００２６】
本発明の一つの別の実施例に従った、装飾的無線通信システムであって、固定システムは、装飾的カバー表面から遠ざかるように細長い筐体から伸びている。
【００２７】
本発明の一つの別の実施例に従った、装飾的無線通信システムであって、固定システムは、さらに、上部中空容器と下部中空容器との間の複数の位置に突出している細長いピンを調整可能に再配置するように動作可能な調整システムから構成されている。
【００２８】
本発明の一つの別の実施例に従った、装飾的無線通信システムであって、固定システムは、さらに、装飾的カバー表面から、そして上部中空容器と下部中空容器との間の細長い筐体上の通信経路を介して伸びている。
【００２９】
本発明の一つの別の実施例に従った、装飾的無線通信システムであって、細長い筐体は、さらに、下部中空容器から伸び、使用中電子回路を支持するように位置にある複数の支持ポストから構成されている。
【００３０】
本発明の一つの別の実施例に従った、装飾的無線通信システムであって、装飾的カバーは、有界通信経路によって下部中空容器から相隔たる上部中空容器と、上部中空容器と、有界通信経路と、装飾的カバーから伸びている下部中空容器と、装飾的中空容器上の上部中空容器、下部中空容器及び有界通信経路をカバーする細長い筐体を支持する。
【００３１】
本発明の一つの別の実施例に従った、装飾的無線通信システムであって、細長い筐体が、さらに、それから突出している複数の突出固定部材を有し、装飾的カバーが、さらに突出固定部材の各々と通信するために整形された複数の嵌合部材を含み、上部中空容器内のスピーカー回路と下部中空容器内の電子回路モジュールを固定するように、装飾的通信転送モジュールの組立中、装飾的カバーが固定的に細長い筐体に嵌合可能になるように構成されている。
【００３２】
本発明の一つの別の実施例に従って、装飾的通信システムは、さらに、装飾的カバー表面の反対側の細長い筐体部材の表面上に、有界のボタン開口部と、バネ式に、下部中空容器に隣接する細長い筐体部材に固定され、ボタン開口部内に突出する暴露面を有するボタンカバー部材とからなり、下部カバー部材が、弓形のバネアームと中空容器に結合する固定部分からなり、それによって使用中、ボタン開口部に隣接するボタンカバーの付勢位置を有効にするように構成されている。
【００３３】
本発明の一つの別の実施例に従った、装飾的無線通信システムであって、固定システムは、装飾的カバー表面から遠ざかるように細長い筐体から伸びている。
【００３４】
本発明の一つの別の実施例に従った、装飾的無線通信システムであって、固定システムは、さらに、上部中空容器と下部中空容器との間で、相隔たる複数の位置に突出している細長いピンを調整可能に再配置するように動作可能な調整システムから構成されている。
【００３５】
本発明の一つの別の実施例に従った、装飾的無線通信システムであって、固定システムは、さらに、装飾的カバー表面から、そして上部中空容器と下部中空容器との間の細長い筐体上の通信経路を介して伸びている。
【００３６】
本発明の一つの別の実施例に従った、装飾的無線通信システムであって、電子回路モジュールは、さらに、充電電源と、データ及び充電ポートと、マイクロフォン回路と、無線送信機回路と、活性化回路からなり、活性化回路が、ボタン回路、加速度計回路及びスワイプ接触回路からなる群から選ばれた活性化トリガーから構成されている。
【００３７】
本発明の一つの別の実施例に従って、装飾的通信システムは、さらに、細長い筐体部材の反対側の装飾的カバー表面の表面上に有界のボタン開口部と、バネ式に、下部中空容器に隣接する装飾的カバー表面に固定され、ボタン開口部内に突出する暴露面を有するボタンカバー部材とからなり、下部カバー部材が、さらに、弓形のバネアームと装飾的カバーに結合する固定部分からなり、それによって使用中、ボタン開口部に隣接するボタンカバーの付勢位置を有効にするように構成されている。
【００３８】
本発明の一つの別の実施例に従った、装飾的無線通信システムであって、固定システムは、装飾的カバー表面から遠ざかるように細長い筐体から伸びている。
【００３９】
本発明の一つの別の実施例に従った、装飾的無線通信システムであって、上部中空容器と下部中空容器は、共通面に沿って互いに整列している、共通面に沿って互いに整列していないかの少なくても何れか一つである。
【００４０】
本発明の一つの別の実施例に従った、装飾的無線通信システムであって、少なくても細長い筐体と装飾的カバー表面の一つが曲線形で伸びている。
【００４１】
本発明の一つの別の実施例に従って、装飾的通信システムは、さらに、遠隔通信ネットワークと接続するように機能する無線通信デバイスから構成されている。
【００４２】
本発明の一つの別の実施例に従った、装飾的無線通信システムであって、固定システムは、弓状の環状バネ部材と把握フック部材からなり、把握（保持）部材は、装飾的通信転送モジュールを固定器に嵌合するように動作可能であって、それによって、使用中、弓状の環状バネ部材はバネ的に信頼のおける確実さをもって使用を保証する。
【００４３】
本発明の一つの別の実施例に従って、装飾的通信システムは、さらに、装飾的通信転送モジュールを機能的に取り囲む形成された容器ケースから構成されている。
【００４４】
本発明の一つの別の実施例に従った、装飾的無線通信システムであって、上部中空容器は、可撓的に下部中空容器に接続され、それによって上部中空容器と下部中空容器との間で相対的ピボット運動が可能となる。
【００４５】
本発明の一つの別の実施例に従った、装飾的無線通信システムであって、装飾的カバー表面は、装飾的通信転送モジュールから取り外し、交換可能であり、それによって使用者は、複数の装飾的表面カバーから選択的に交換できる。
【００４６】
上記及び本発明の他の態様、特徴と長所は、付帯する図と連係して記載する以下の説明から明らかになり、同じ参照符号は同じ要素を定義する。
【図面の簡単な説明】
【００４７】
【図１】本発明の装飾的通信転送モジュールの具体的成分図である。
【００４８】
【図２】本発明の装飾的通信転送モジュールと無線デバイスと無線通信ネットワークを含む装飾的通信システムの具体的要素図である。
【００４９】
【図３】本発明の使用者の耳についての装飾的通信システムの位置と調整可能性を示す具体図である。
【００５０】
【図４】本発明の装飾的通信転送モジュールの側面図である。
【００５１】
【図５】本発明の装飾的通信転送モジュールの拡大側面図である。
【００５２】
【図６Ａ】本発明の装飾的通信システムの別の実施例である。
【図６Ｂ】本発明の装飾的通信システムの別の実施例である。
【図６Ｃ】本発明の装飾的通信システムの別の実施例である。
【図６Ｄ】本発明の装飾的通信システムの別の実施例である。
【００５３】
【図７Ａ】本発明の装飾的通信システムのもう一つ別の実施例である。
【図７Ｂ】本発明の装飾的通信システムのもう一つ別の実施例である。
【図７Ｃ】本発明の装飾的通信システムのもう一つ別の実施例である。
【図７Ｄ】本発明の装飾的通信システムのもう一つ別の実施例である。
【００５４】
【図８】本発明の装飾的通信転送モジュールの別の実施例の分解斜視図である。
【００５５】
【図９】本発明の装飾的通信転送モジュールの別の実施例のもう一つ別の分解斜視図である。
【００５６】
【図１０】本発明の装飾的通信転送モジュールの別の実施例のもう一つ別の分解斜視図である。
【００５７】
【図１１】本発明の別の固定部材の説明図である。
【００５８】
【図１２】本発明の固定部材によって使用者の耳に固定された装飾的通信転送モジュールの説明図である。
【００５９】
【図１３】本発明の固定部材によってラバリエールスタイルでネックレスに固定された装飾的通信転送モジュールの説明図である。
【００６０】
【図１４】本発明の固定された装飾的通信転送モジュールと携帯ケースの組み立てキット版を示す図である。
【００６１】
【図１５】本発明の曲線形を有する装飾的通信転送モジュールの別の実施例を示す図である。
【図１６】本発明の曲線形を有する装飾的通信転送モジュールの別の実施例を示す図である。
【００６２】
【図１７】本発明の使用者の耳に固定された従来のイアリングともに使用中の装飾的通信転送モジュールの別の実施例を示す図である。
【００６３】
【図１８】本発明の懸垂式で緩く接続する形で形成された装飾的通信転送モジュールの別の実施例を示す図である。
【考案を実施するための形態】
【００６４】
発明の態様に対して詳細な参照を作成する。可能な限り、同じもしくは類似の参照番号が同じもしくは同等の部分あるいは段階に参照するために図と説明に用いられる。図は単純化された様式であって、スケールは正確ではない。単語「結合」および類似の用語は、直接あるいは直ぐの結合を意味する必要はなく、中間の要素あるいは装置を通しての結合を含む。簡便性及び明確性を目的としてのみ、図に関して、方向を示す用語（上／下等）あるいは動きを示す用語（前方／後方等）が用いられる。これらの用語及び類似の方向に関する用語は、いかなる態様においても、範囲を制限するものと解釈されるべきではない。同様に、他の実施例は、本発明の範囲を逸脱することなく用いられ、さらに詳細説明が制限の意味で取られてはならず、そして要素は異なる位置に配置されてもよく、あるいはさもなければ、それに要求される書面記載の必要性なく、添付請求項のように記載されてもよい。いろいろな操作が、本発明の実施例の理解を助けることができるような方法において、複数の個別の操作が順次行われるが、説明の順序はこれらの操作が順序に依存することを示唆すると解釈されるべきではない。
【００６５】
ここで図１〜５を参照して、装飾的通信システム１は、無線デバイス７００と機能的に通信し、アンテナ８００によって示される無線通信ネットワークと相互作用的に作用し得る、例となる装飾的通信転送モジュール１０を含んでいる。例となる装飾的通信転送モジュール１０は、図１に部分分解図で示され、例となる装飾的通信転送モジュール１０Ａが図２，３，４，５で説明される。
【００６６】
ここで図１を参照して、転送モジュール１０は、上部および下部中空容器１５、１６を接続している保護通信ワイヤーに対してその間が通信経路１７によって下部中空容器１６から相隔たる上部中空容器１５を主成分として機能的に含んでいる。装飾的カバー表面１８は、後に説明するように、上部と下部中空容器１５，１６に固定され、それらを隠している。装飾的カバー表面１８は、制限なく任意の形に形成され、更に、ここで説明するように、制限なく、位置決めされ、設計される。固定システム１９は、解除可能に固定転送モジュール１０のために、装飾的通信システム１の使用者に提供される。図１〜５で示すように、固定システム１９は、イアリングピンと後押し部材１９Ａとして形成され、それによって転送モジュール１０、１０Ａを使用者の耳７０に嵌合する。
【００６７】
図１、２に示すように、下部中空容器１６、１６Ａは、その上にボタンを有し、後に説明する電子的特性と、ボタンカバー２１を有する電子回路モジュール２０を含む追加要素を含んでいる。スピーカー回路モジュール３０は、上部中空容器１５，１５Ａ中に位置決めされ、（後に示す）ワイヤーが通信経路１７に沿って電子回路モジュール２０とスピーカー回路モジュール３０を接続する。
【００６８】
無線通信デバイス７００及び装飾的通信転送モジュール１０、１０Ａは、互いの間で既存のブルートゥースのような技術システムを使って無線通信が出来ると理解されるが、それには限定されない。同じように、通信スクリーン７１０を有する携帯電話として描かれていて、ディスプレイと動作可能なメニューを有する無線通信デバイス７０は、それ自体と認定無線通信プロトコルを用いて無線電機通信ネットワーク８００に無線通信が可能である。
【００６９】
動作可能な使用に対して、後の図で説明するように、電子回路モジュール２０は、充電可能な電源（若しくはバッテリ）４０、充電とデータ複合ポート４１、マイクロフォン回路４２、無線送信機とアンテナ４３、活性化回路４４を備えて提供される。スピーカー回路モジュール３０は、ワイヤー４５で接続される。
【００７０】
図２において、例となる細長い筐体６０Ａは、装飾的表面１８Ａ備えて提供される。細長い筐体６０は、ここで示される成分を記憶するために上部下部中空容器１５Ａ、１６Ａと共に形成される。中空容器１６Ａの外部表面は、（ＵＳＢインターフェースを受け入れるような）充電データアクセスポータル４１Ａを、充電使用のための電子回路モジュール２０上に（後で示す）データと充電ポート４１と共に整列された開口部として含んでいる。図２に示すように、その内部は、対応する電子回路モジュール２０Ａ（図示せず）である。また、下部中空容器１６Ａの外部表面上に、内部電子回路モジュール（図示せず）とマイクロフォーン回路４２への通信経路と提供するマイクロフォンポータル４２Ａがある。このように、使用者（図示せず）は、装飾的通信転送モジュール１０、１０Ａ，１０Ｂなどを、ここで説明するように話をしている間も装着することができる。電子回路モジュールにワイヤー４５で接続されているスピーカー回路モジュール３０は、ミシン目（貫通孔）３１Ａを介して音を発する。
【００７１】
図３Ａに示すように、固定システム１９、図２〜５に示す固定システム１９Ａは、押し部５０Ａを有する細長いピン５１Ａの形体であって、ピンが耳たぶの部分を貫通して固定される。理解されるように、装飾的通信転送モジュール１０、１０Ａに沿った固定システム１９の位置は、細長い通信経路１７、１７Ａに沿って動かされる、あるいは動作指示器Ａによって示されるように耳７０について装飾的通信転送モジュール１０が移動できるように下部中空容器上に位置決めされる。結果として、本装飾的通信転送モジュールは、聞き易さのために使用者の外耳道７０に対してスピーカー回路モジュール３０と上部中空容器１５，１５Ａとを配置するために装飾的容易さと便利さとによって位置決めされても良いことが理解できる。
【００７２】
装飾的通信転送モジュール１０を有する本装飾電気通信システム１は、本発明の範囲と精神から逸脱することなく、多くの別の実施例と構造で説明されても良い。
【００７３】
図６Ａ〜６Ｅを参照して、装飾的通信転送モジュール１０Ｂの別の実施例が、装飾的カバー表面１８Ｂを有することが示され、細長い筐体６０Ｂは、通信経路１７Ｂによって相隔たる上部中空容器１５Ｂ及び下部中空容器１６Ｂを定義する。固定システム１９Ｂは、細長いピン５１Ｂを固定するバッキング（後ろ押し部材）５０Ｂをもって提供される。ここで示される装飾的カバー表面１８Ｂは、細長い筐体６０Ｂを完全にカバーする。また、ボタンカバー２１Ｂは、図６Ｅに示されるように、電子回路モジュール２０Ｂ上の活性化回路（ボタン）４４の嵌合のためにバネ抵抗動作を可能にし、バネアーム２２及び下部中空容器１６Ｂにボタンカバー２１Ｂを固定するための固定穴２３が提供されている。先に示したように、電子回路モジュール３０Ｂは、動作可能で充電可能電源４０（バッテリ）、データチャージポート４１（ＵＳＢアクセス）、音声データを取り、中継するマイクロフォン回路４２、ワイヤー４５と、無線通信用（ブルートゥース型）無線送信器４３を含んでいる。図６Ｄの末端図で示されるように、細長い筐体６０Ｂの開放側は、接着様式によって装飾的カバー表面１８Ｂに直接固定されている。図６Ａ〜６Ｅに示すように、下部中空容器１６Ｂは、さらに、ここで説明するデータポータル及びマイクロフォンポータルを含み、上部中空容器１５Ｂは、スピーカー回路モジュール３０から音が逃げることが可能なようにミシン目（貫通孔）を含んでいる。
【００７４】
また、図面７Ａ〜７Ｄを参照して、さらに別の実施例は、固定システム１９について示されるように、電子回路モジュール２０Ｃを含むために装飾的カバー表面１８Ｃ及び細長い筐体６０Ｃを有する装飾的通信転送モジュール１０Ｃを提供する。ここで示すように、装飾的カバー表面１８Ｃは、そこから突出する固定脚８０を含み、各脚８０は、細長い筐体６０Ｃの壁表面から内部に向けて突き出ている各々の壁結節８２（ｎｕｂ）でもってスナップ嵌合するための各々の脚開口部８１を含んでいる。また、下部中空容器１６Ｃの壁には、データポータル４１Ａ及びボタンカバー２１Ｃが示されている。
【００７５】
ここで分解説明図８を参照して、別の装飾的通信転送モジュール１０Ｄが変更形で提供され、装飾的カバー表面は、代わりに、装飾的カバー表面１８Ｄ”を有する装飾的カバー部材１８Ｄ’であって、装飾的カバー部材１８Ｄ’は、上部中空容器１５Ｄ及び装飾的カバー表面１８Ｄ”から伸びて、固定システム１７Ｄを受け入れるための通信回路１７を規定ししている拡張側壁（図示）を介して下部中空容器１６Ｄを規定し、ここではバッキング５０Ｄ及び細長いピン５１Ｄが提供され、ホール（穴）５２が（図１のテーマに類似するが、本実施例では反転した態様で動作可能な）細長い筐体中６０Ｄに規定される。本態様では、装飾的通信転送モジュール１０を備える図１において、もともと説明される共通の配置を維持しつつ、従来モジュール１０Ａ、１０Ｂ、及び１０Ｃの一般的構造が一般的に反転されていると理解される。下部中空容器１６Ｄ及び上部中空容器１５Ｄの内壁に沿って、固定脚８０及び各々の脚開口部８１と嵌合するために位置決めされる内方向に伸びる壁結節８２が示されている。本説明を通じて、固定脚８０は、組立中各々の壁結節８２の上に弾性的にスナップ式にバネ型の動作を有すると理解される。
【００７６】
図８で示すように、下部中空外形中の装飾的カバー部材１８Ｄ’は、回路支持体（例えば、プリント回路版（ＰＣＢ））からワイヤー４５に沿ってスピーカー回路モジュール３０に伸びている電子回路モジュール２０Ｄを受け取るように整形されている。同様に、電子回路モジュール２０Ｄは、説明した充電式電源４０、データ及びチャージポート４１、マイクロフォン回路４２、無線電信器４３、活性化回路４４（ボタン）と、他の動作可能使用のための特性を含むことが示される。同様に、また、下部中空容器１６Ｄは，マイクロフォンポータル４２Ａ及びデータポータル４１Ａを含んでいる。
【００７７】
ところで、本実施例において、細長い筐体６０Ｄは、装飾的カバー部材１８Ｄ’を覆う役割を果たし、（図示する）ボタン開口部９０Ｄと貫通孔３１Ｄを備え弓型態様で形成されている。ボタンカバー２１Ｄは、ボタン開口部９０及び摺動可能にするためのボタン開口部９０Ｄの側壁６１（見えている）内に摺動的に受け入れられる。ボタンカバー２１Ｄは、バネアーム２２と固定穴２３を含んでいる。支持ポスト１００の一つが、組立中活性化回路４４を覆うようにボタン穴９０Ｄ中にボタンカバー２１Ｄを固定するために貫通孔２３を通して伸び、そして活性化回路４４（活性化ボタン（見えている））に活性化圧力を移すことができるように、複数の支持ポスト１００は、細長い筐体６０Ｄから伸び、適切な位置で電子回路モジュール２０Ｄを支持し、側壁６１の隙間９１は、それを介してアーム２２を取り付ける。ワイヤー４４は、通信経路１７Ｄに沿って伸びている。それ故、組立中、装飾的カバー部材１８Ｄ’は、装飾的通信転送モジュールを形成するために、電子回路モジュール２０Ｄ，ボタンカバー２１Ｄと細長い筐体６０Ｄと共に組み立てられる。
【００７８】
図９を参照して、望ましくは、別の装飾的通信転送モジュール１０Ｅの部分分解図のものであって、装飾的カバー表面１８Ｅが外側表面（図示）に装飾的印と、細長い筐体６０Ｅの壁結節８２とバネ嵌合のために、そこから伸びている複数の固定脚８０を含んでいる。細長い筐体６０Ｅは、通信経路１７Ｅに沿って、ボタンカバー２２Ｅのバネアーム２２を嵌合するための隙間９２を備え、側壁９１を有するボタン開口部９０Ｅを規定する下部中空容器１６Ｅから相隔たる上部中空容器１５Ｅを含んでいる。支持ポスト１００は、スピーカー回路モジュール３０を接続するワイヤー４５を有する電子回路モジュール２０Ｅを支持するために細長い筐体６０Ｄの内部表面から伸びている。
【００７９】
ワイヤー４５は、通信経路１７Ｅ内で通信する。貫通孔（ミシン目）２１Ｅが使用中スピーカー回路モジュール３０から音が逃げるのを可能にしている。示されるように、データポータル４１Ｅ及びマイクロフォンポータル４２Ｅは、下部中空容器１６Ｅの拡張側壁を通して位置決めされる。装飾的通信転送モジュール１０Ｅは、また、固定穴２３が、摺動バネ移動を可能にして、ボタン開口部９０Ｅの内壁９１内の隙間９２を経て支持ポスト１００の一つの上方に配置される一方、電子回路モジュールが支持ポスト１００上に指示されるように、ここで示されたように組み立てられる。また、固定システム１９Ｅは、細長い筐体６０Ｅの一部にあって、開口部５２Ｅを通って伸びる、細長いピン５１Ｅとバッキング５０Ｅが提供されていると理解される。ここで示されるように、使用中信頼できる位置の電子回路モジュール上に確実にマイクロフォン回路４２を維持するように、マイクロフォンポータル４２Ａに隣接する下部中空容器１６Ｅの側壁から内部に向かって囲むように伸びている保護固定覆い４２Ｂがある。
【００８０】
図１０を参照して、短体装飾的転送要素１０Ｆの別の実施例において、図８と同様に、装飾的カバー部材１８Ｆ’は、外側装飾的カバー表面１８Ｆ”上と、上部中空容器１５Ｆと下部中空容器１６Ｆを形成する連続的に伸びている側壁の内側上に、刻面を備えて、ここで示されている装飾的カバー表面１８Ｆ”を含んでいる。細長い筐体６０Ｆは、固定システム１９Ｆの細長いピン５１Ｆの受け手のための外側表面上の穴５２を含む平板化された下部部分６０Ｆ’と、バッキング５０Ｆを備えて示されるカバー部材として提供される。細長い筐体６０Ｆは、平坦な下部６０Ｆ’と、示されるように、貫通孔３１Ｆを含む凹型の上部６０Ｆ”とを含んでいる。複数の拡張固定脚８０は、図示するように平坦な下部から伸びて、各拡張固定脚８０は、下部中空容器１６Ｆの側壁から内側に向かって突出している対応する壁結節８２と嵌合のための脚開口部８１を含んでいる。
【００８１】
下部中空容器１６Ｆを備えた装飾的カバー部材１８Ｆ’は、下部開口部９０Ｆ内の摺動的に受け取られるように整形されたボタンカバー２１Ｆのバネアーム２２を嵌合するために、それを通す隙間９２Ｆを備えて、側壁９１Ｆを有するボタン開口部９０Ｆを備える（図示）下部を有している。複数の支持ポスト１００は、電子回路モジュール３０Ｆの支持のために下部中空容器１６Ｆの内側表面から上方に、さらに、ボタンカバー２１Ｆのバネ動作を可能にするようにバネアーム２２の固定穴２３を通して伸び、嵌合するために伸びていている。通信経路１７Ｆは、下部中空容器１６Ｆと上部中空容器１５Ｆとの間の狭いチャンネルであって、ワイヤー４５を配置、スピーカー回路モジュール３０との間の接続を可能にしている、ここでは電子回路モジュール２０Ｓ上に示される機能要素、すなわち、充電可能電源４０、データ及びチャージポート４１、マイクロフォン回路４２と無線電信器４３であり、嵌合指示を受け取るためのボタンカバー２１Ｆを嵌合するボタン部材を備えて提供される活性化回路４４である。
【００８２】
図１０で示されるように、この実施例と別の実施例は、種々の要求における使用に適切な変更とともに、一般的に図１に示されたような修飾的通信転送モジュールレイアウトに適応する配列にできる。例えば、装飾的カバー表面１８は、一般的な直線あるいは上下中空、通信経路を含めても良く、細長い筐体６０は、固定カバーとして動作しても良く、一般的に曲線平面でも良く、またはそれ自体に上下中空と通信経路を含めても良い。これらの実施例の全ては、一部分を通って、あるいは一部分から、あるい別の部分から伸び、いろいろな位置で固定穴５２に位置決めを可能にする固定システム１９を適時に受け入れても良い。また、固定システム１９は、通常穴５２があるところに沿ってチャンネル（溝）を含んでもよいので、任意の装飾的通信転送モジュールのバージョンが最適使用のために使用者の耳７０と外耳道７１に関して垂直に調整されることができる。
【００８３】
以下の追加の図において、本発明は精神と範囲から逸脱することなく適応に変更しても良いと理解される。
【００８４】
ここで図１１を参照して、耳フープ２１０は、バネアーム部２１０と保持フック部２１３を備えて提供される。耳フープ２１０は、プラスチック、弾性材料、または金属から形成され、説明するようにバネ形状のものである。図１２に示されるように、例となる装飾的通信転送モジュール１０は、保持フック２１３を介して耳フープ２１０に固定されて、耳７０の上に回される。本態様で、本発明は、便利さを増すために固定システム１９を耳フープ２１０を備えたバージョンで置き換えても良い。また、別に、図１３のように、耳フープ２１０は、機能を連続的に、または使用間において便利なラバリエール型の支持型でネックレス２１４を介して固定されても良い。
【００８５】
図１４に示すように、ケース２１５は、上部、下部中空容器部分１５Ａ，１６Ａを受け入れるため反対側とへこみ２１５Ａ，２１５Ｂを備えて、装飾的通信転送モジュール１０Ａを固定するために形成され、持ち運びに便利なようにヒンジ部分２１６を介して閉じても良い。
【００８６】
図１６、１７で示すように、適応的装飾的通信転送モジュール１０Ｇまたは１０Ｈは、ここで説明するような固定システム１９Ｇ、１９Ｈ及びそれぞれの装飾的カバー表面１８Ｇ、１８Ｈを備えて提供される。示されるように、細長い筐体６０Ｇ、６０Ｈ、各々の装飾的カバー表面１８Ｇ、１８Ｈ及び通信経路１７Ｇ，１７Ｈは小さい角度（図１５）または大きな角度で曲がっている。本態様において、提案された装飾的通信転送モジュールは、使用者の耳の構造に適応するよう曲がっている。また、現状の技術で示されるように、提案される発明の構成する材料は、曲げ可能であってもよいので、使用者の好みに対して実使用時に曲げる工程が行われても良い。
【００８７】
図１７に示すように、別の実施例は、耳の外部上に従来のイアリング３００が提供され、装飾的通信転送モジュール１０Ｉの別のバージョンが耳の内部に同じように固定するための固定システム１９Ｉを備えて提供される。
【００８８】
図１８に示すように、なおも、さらに別の実施例が、可撓性固定スピーカーモジュール３０Ｊを備えた装飾的通信転送モジュール１０Ｊ、及び位置固定システム１９Ｊを備え、電子回路モジュール２０Ｊを備えているように示されているので、当業者は、ここで説明される成分は、本発明の範囲と精神から逸脱することなく可撓的に併せられると理解する。
【００８９】
装飾的カバー表面１８は、キット中の複数のものから好ましい装飾的様式を使用者が選択可能な成分包装態様においていろいろな別の様式において提供され、好みに合わせて装飾的通信転送モジュールを組み立て、本発明の範囲と精神の中で異なる様式または形を用いるために使用を企てて同じものを適合させても良いと理解される。
【００９０】
また、ここで活性化ボタンの使用は、活性化デバイスまたはシステムの例として理解される。結果として、提案された発明は、また、タップ式活性化回路によって活性化されると理解されるので、一回タップまたは２回タップが、デバイスを活性化し、電話に応え、表示されたメニューの選択肢を選択するなどのために、関連するプログラム回路によって理解される。また、タッチスクリーンでディスプレイデバイスをアクティブにするために使われるような）スワイプスクリーン回路が活性化するために使われても良い。最後に、また、提案された発明は、デバイスは、音声コマンドを介して（オンオフメニュー選択など）の作動可能であるように、受動・能動「リスニング」回路を含んでも良いと理解される。結果として、ここで使用される語句「ボタン」は、任意の機構、システム、または回路と同等と見なされ、電話の授受・拒絶、遠隔スクリーンのメニュー選択の変更、電話を掛けるなどを行うための動作可能態様で機能すると当業者は理解する。
【００９１】
また、語句ブルートゥース無線接続プロトコルには、制限がなく、ここで示された動作可能にする携帯ユニット（スマートフォン）と提案された「スマート」イアリングの無線通信を可能にする回路ハードウェアとソフトウェアの任意の組み合わせの代表である。それ故、ブルートゥースは登録商標である一方、ここで使われているように、いろいろな多様な、デバイス間の認識を可能にして、デバイス間のデータ転送、標準的関連技術は、支障なく複数のデバイスについて操作回路制御を可能にするための代表として使われている。また、いろいろなそのような使用に関する接続のための標準は、制限なく、赤外線通信、８０２．１１／ワイファイ（Ｗｉ−Ｆｉ）、ジグビー（ＺｉｇＢｅｅ）、ブルートゥース標準を含んでいる。
【００９２】
ここで使用されるように、装飾的要素は、非貴金属または皮革、プラスチック、樹脂、など他の媒体を含む相対的に単純なアクセサリ（コスチューム・ジュエリー）から宝石や貴金属を有する高価なジュエリーで変化すると理解される。装飾的要素の製造は、個々の要素を（断片）を自動化組み立てラインから手工業の範囲で、いろいろな技術を使って実施され得る。また、装飾的要素は、飾りに一般的な光、商標、ブランド、他の特長のような印を含んでも良い。
【００９３】
また、本発明のモジュールは、装着者自身のイアリングと関連して使用できるので、使用者は、同じような固定特長またはジュエリー自体に提供されるポストを用いてイアリングの後ろにモジュールを付けるであろう。この使用では、装着者のイアリングの構造に依存して、固定ポストや取り付け手段の長さによっては、モジュールは見たり見えなかったりする。それ故、そのような使用に対して、モジュールは、本質的に魅力的あるいは目立たなくなるように作られる。
【００９４】
ここで使用されるマイクロフォンまたは電力充電回路及び使用は類似機能のために既知、あるいは開発されものであって良い。マイクロフォンのいろいろな種類は、光ファイバマイクロフォン、ゲルベースマイクロフォン、他のハイテクマイクロフォンを含む。電力供給回路は、ＵＳＢ、誘導コイル型、または、モーションエネルギー貯蔵デバイスをも含んで良い。
【００９５】
最終的に、ここで使用される用語回路「版」または「プリント回路版（ＰＣＢ）」は、複雑な回路配列の単なる説明的であって、いろいろな回路成分を含んでも良く、剛体、可撓体、（可撓性プリント回路（ＦＰＣ）、あるいはデバイスの構造と一体化されて直接プリント、一体プリント回路（ＩＰＣ）の型であっても良い。それ故、ここで使用される回路版は、説明したように提案して発明を動作可能にするに十分な一つまたは幾つかの回路を表している。
【００９６】
最後に、ここで開示されたように任意の遠隔操作ユニット（例えば、携帯ユニット）における動作可能なソフトウェアと回路は、選択的に作動可能で、従来の携帯デバイスから既知の技術の範囲内で複数の選択肢（カレンダー、テキスト、音量（ボリューム）、輝度、電話機能など）を可能にするために十分な電気回路網とソフトウェアを含んでも良い。
【００９７】
付帯図を参照する本発明の好ましい実施形態の少なくとも一つを記載したものであって、発明はこれらの正確な実施態様に制限されるものではなく、いろいろな修飾および変化が本発明の精神または範囲を逸脱することなくここで開示されたシステムで成立する。従って、添付請求項およびそれらの同等物の範囲ないという条件であれば、本開示は、本開示の修飾および変化をカバーすることを意図している。
【図１】
0003217693.tif 000003
【図２】
0003217693.tif 000004
【図３】
0003217693.tif 000005
【図４】
0003217693.tif 000006
【図５】
0003217693.tif 000007
【図６Ａ】
0003217693.tif 000008
【図６Ｂ】
0003217693.tif 000009
【図６Ｃ】
0003217693.tif 000010
【図６Ｄ】
0003217693.tif 000011
【図６Ｅ】
0003217693.tif 000012
【図７Ａ】
0003217693.tif 000013
【図７Ｂ】
0003217693.tif 000014
【図７Ｃ】
0003217693.tif 000015
【図７Ｄ】
0003217693.tif 000016
【図８】
0003217693.tif 000017
【図９】
0003217693.tif 000018
【図１０】
0003217693.tif 000019
【図１１】
0003217693.tif 000020
【図１２】
0003217693.tif 000021
【図１３】
0003217693.tif 000022
【図１４】
0003217693.tif 000023
【図１５】
0003217693.tif 000024
【図１６】
0003217693.tif 000025
【図１７】
0003217693.tif 000026
【図１８】
0003217693.tif 000027